(57)【特許請求の範囲】
【請求項１】
外部不平衡重錘体（１）と内部不平衡重錘体（２）は同じ運動モ−メントを備えてスリ−ブ形状に入り子式に配置されていて、二つの不平衡重錘体（１、２）の質量旋回点は一つの回転平面にあり、質量旋回点の角度位置は互いに一つの調整スリ−ブ（７）により変更されて、軸（３）は不平衡重錘体（１、２）の遠心力による曲げにより生じた応力を受けないことを特徴とする成形箱の成形みぞ内の成形材料を円周と長さを有する形成体に圧縮して形成する振動圧縮装置。
【請求項２】
調整スリ−ブ（７）は二つの逆方向の螺子を形成されていて、調整スリ−ブ（７）の軸方向移動により二つの不平衡重錘体（１、２）の相対運動は、結果として生じる振動体遠心力の方向が軸（３）に関していつも一定のままであるように強要されることを特徴とする請求項１に記載の圧縮装置。
【請求項３】
軸端（８、８’）の継ぎ手により相前後して配置されて中央で駆動される一連の複数の振動体の個々の振動体では別の遠心力が調整でき、各遠心力が個々に調整できることを特徴とする請求項１又は請求項２に記載の圧縮装置。
【発明の詳細な説明】
【０００１】
【発明の属する技術分野】
この発明は、請求項１の上位概念により、成形箱の成形みぞ内の成形材料を成形体に圧縮成形する振動圧縮装置に関する。
【０００２】
【従来の技術】
成形箱の成形みぞ内の成形材料を成形体に圧縮成形する振動圧縮装置は複数の不平衡重錘体から成ることが公知である。これら不平衡重錘体はこれら不平衡重錘体を回転させる軸上に位置していて、不平衡重錘体の各々は軸の角速度に依存して真直ぐでない個別遠心力を生じる。この個別遠心力の和は結果として生じる振動体遠心力となる。この結果として生じる振動体遠心力は軸を介して軸受に伝達されて、振動体ケ−シングと成形箱を介して成形体に引き渡される。不平衡重錘体の旋回点位置を互いに変更することにより結果として生じる振動体遠心力の大きさが変更され得る。特定の入り子式の場合には、零から最大遠心力までの調整が前記振動体において必要である。その際に結果として生じる振動体遠心力の作用は調整できない。
【０００３】
ドイツ特許出願公開第２０４６２４５号明細書には、偏心駆動部のそれ自体望まれない運動成分を出来るだけ過度に振動部材により捕獲して、望まれた運動方向に変形する振動駆動部が記載されている。この課題は、偏心駆動部が調整自在な往復行程を伴って、旋回ピンに対して振動部材の開口に移動自在に配置されている滑り部材内に配置されることによって解決される。そのような振動駆動部が一軸線のみにおいて真直な振動を発生して、ラム振動体として装置の地面への食い込みが緩和される。
【０００４】
【発明が解決しようとする課題】
成形箱の成形みぞ内の成形材料を成形体に圧縮成形する振動圧縮装置用のそのような解決手段は、上面と下面を備えた平らな成形部材にのみ適し、円周と長さを備えた成形部材には適しない。
【０００５】
更に、軸は回転力の伝達に使用されるばかりでなく、不平衡重錘体の遠心力にも使用される。
【０００６】
特許請求項１乃至３に記載された発明の課題は、成形箱の成形みぞ内の成形材料を円周と長さを備える成形体に、主として環状、丸い或いは楕円の成形部材に又は軸が不平衡重錘体の遠心力により曲げを受けない多角形の複雑な形材に圧縮成形する振動圧縮装置を開発することである。
【０００７】
【課題を解決するための手段】
この課題は、特許請求項１に記載された特徴部分により解決される。成形箱の成形みぞ内の成形材料を円周と長さを備える成形体に、主として環状、丸い或いは楕円の成形部材に圧縮成形する振動圧縮装置では、外部不平衡重錘体１と内部不平衡重錘体２は同じ運動モ−メントを備えてスリ−ブ形状に入り子式に配置されていて、二つの不平衡重錘体１、２の質量旋回点は一つの回転平面にあり、質量旋回点の角度位置は互いに一つの調整スリ−ブ７により変更されて、軸３は不平衡重錘体１、２の遠心力による曲げにより生じた応力を受けない。
【０００８】
その際に調整スリ−ブ７は一つの螺子と形状補完的な連結部を形成され、この場合に調整スリ−ブ７の軸方向移動により二つの不平衡重錘体１、２の相対運動が互いに達成されるか、或いは二つの逆方向螺子を形成しているので、不平衡重錘体１、２の相対運動は結果として生じる振動体遠心力の方向が軸３に関していつも一定のままであるように互いに強要される。
【０００９】
縦に拡張された成形部材を成形するために、この発明の好ましい構成では、一連の複数の振動体は軸端８、８’の継ぎ手により相前後して配置されて中央で駆動され、この場合にその個々の振動体にも別の遠心力が調整でき、各遠心力が個々に調整できる。
【００１０】
この発明により達成された利点は、特に不平衡重錘体１、２の質量旋回点が回転平面にあり、支持された構成部材の多軸方向曲げ応力が生じなく、軸３が不平衡重錘体１、２の遠心力による曲げ応力を受けないことにある。
【００１１】
特許請求項２に基づく二つの逆方向の螺子を備える調整スリ−ブ７の構成により、調整スリ−ブ７の軸方向移動による不平衡重錘体１、２の相対運動は、結果として生じる振動体遠心力の方向が軸３に関していつも一定のままであるように互いに強要されることを可能とする。
【００１２】
この発明の補助的な好ましい構成は特許請求項３に記載されている。軸端の継ぎ手により複数の振動体は相前後して配置されて同時に運転される。その各これらの振動体では別の遠心力が調整できる。特許請求項２に基づく特徴部分との関係において、結果として生じる振動体遠心力の方向を軸３に関して一定に調整することが初めてできる。
【００１３】
【発明の実施の形態】
この発明の若干の好ましい実施例は、図面に図示され、次に詳細に説明される。図１は、二つのスリ−ブ状に入り子式に配置された不平衡重錘体１、２の圧縮装置を通る縦断面を示す。内部不平衡重錘体２は外部不平衡重錘体１内で内部半径方向軸受４により支持され、外部不平衡重錘体１は振動体ケ−シグ５内に外部半径方向軸受６により支持されている。直通軸３は軸端８では振動体ケ−シグ５内に半径方向軸受１０により支持され、他の軸端８’では内部不平衡重錘体２内に半径方向軸受１２により支持されている。調整スリ−ブ７は外面上に二つの逆方向の螺子を形成して、内面上に一つのスプライン溝を形成している。一方の側では調整スリ−ブ７は二つの不平衡重錘体１、２により形状補完的且つ緊張的に形成され、他方の側では調整スリ−ブ７は調整装置９におけるブッシュ軸受１１により支持され、調整装置９は軸方向に調整できる。
【００１４】
図２には、簡略化された実施態様を通る縦断面が図示され、調整スリ−ブ７がその外面にはひとつの螺子のみを形成して、内面には一つのスプライン溝を形成している。一方の側では調整スリ−ブ７は外部不平衡重錘体１により形状補完的且つ緊張的に形成され、他方の側では調整スリ−ブ７は調整装置９におけるブッシュ軸受１１により支持され、調整装置９は軸方向に調整できる。直通軸３は軸端８では振動体ケ−シグ５内で半径方向軸受１０により支持され、他の軸端８’では内部不平衡重錘体２内で緊張的且つ形状補完的に支持されている。
内部不平衡重錘体２は図１における如く外部不平衡重錘体１内で内部半径方向軸受４により支持され、外部不平衡重錘体１は振動体ケ−シグ５内に外部半径方向軸受６により支持されている。
【００１５】
図３は、他の簡略化された実施態様を通る縦断面を示し、外部不平衡重錘体１は外部半径方向軸受６により直接に振動体ケ−シグ５内に支持されている。内部不平衡重錘体２は図２における如く直接に軸３に固定されている。
【００１６】
図１と図２に基づく成形箱の成形みぞ内の成形材料を円周と長さを備える成形体に圧縮成形する振動圧縮装置の運転の際には、軸の一方の軸端が駆動され、回転運動を軸の楔形材を介して調整スリ−ブに形状補完的に伝達する。調整スリ−ブはさらに運動をその外面上の二つの逆方向螺子を介して二つの回転体に伝達する。
【００１７】
図１に基づく調整装置による調整スリ−ブの軸方向移動により、不平衡重錘体の相対移動と質量旋回点の位置変更とは互いに強制される。調整過程における不平衡重錘体の互いの位置及び不平衡重錘体の相対移動は軸方向位置及び軸の角速度に無関係である。軸は振動体を貫通されている。軸端の継ぎ手により複数の振動体が相前後して配置されている。複数の振動体は同時に運転され得る。各これら振動体では別の遠心力が調整できる。
【００１８】
この発明の特殊な用途例では、コンクリ−ト管を製造するために振動中子が使用される。前記振動体の多くが一つの中央振動体に一体化されている。中子の振動はこの中央振動体により発生されて、この中央振動体は複数の個々の振動体から成り、互いに連結されて中央で駆動される。製造すべき製品への適用やそれぞれの製造観点、即ちコンクリ−ト調合、振動数（励磁周波数）、成形装置／機械のばね減衰システムに依存して、管の生産中に各個々の振動体層の振動遠心力が調整される。
【００１９】
【発明の効果】
不平衡重錘体の質量旋回点が回転平面にあり、支持された構成部材の多軸方向曲げ応力が生じなく、軸が不平衡重錘体の遠心力による曲げ応力を受けないことにある。
【００２０】
調整スリ−ブの軸方向移動による不平衡重錘体の相対運動は結果として生じる振動力の方向が軸に関していつも一定のままであるように互いに強要されることを可能とする。
【００２１】
軸端の継ぎ手により複数の振動体は相前後して配置されて同時に運転されるから、各これらの振動体では別の遠心力が調整できる。
【図面の簡単な説明】
【図１】  二つのスリ−ブ状に入り子式に配置された不平衡重錘体の圧縮装置を通る縦断面を示す。
【図２】  簡略化された実施態様を通る縦断面を示す。
【図３】  他の簡略化された実施態様を通る縦断面を示す。
【符号の説明】
１、２．．．不平衡重錘体
３．．．．．軸
４，６．．．半径方向軸受
５．．．．．振動体ケ−シグ
７．．．．．調整スリ−ブ
８，８’．．軸端
９．．．．．調整装置
【図１】
0003827529.tif 000002
【図２】
0003827529.tif 000003
【図３】
0003827529.tif 000004